(57)【要約】      （修正有）【課題】万一ロックボタンに指や物が接触して移動したとしても、開閉ボタンを操作しない限り注出口を開放できないと共に各部品の組み立て作業も極めて容易となる携帯用飲料容器を提供する。【解決手段】肩部材４の前面には、左右対称な左側壁と右側壁４ｂとを突出すると共に開閉ボタン８ａは、上部内側壁に蓋体７ａを係合する係合爪２４を備え、下部前壁を指押圧部２７とし、肩部材４の該左、右側壁間にあって、揺動自在に枢支される。ロックボタン９ａは、肩部材４の該左、右側壁間を跨ぎ、この左、右側壁外面に揺動自在に枢支され、不使用時には、ロックボタン９ａが開閉ボタン８ａの指押圧部２７のみを覆い、開閉ボタンの操作を不能とし、使用時には、ロックボタン９ａを押し上げて開閉ボタンの指押圧部２７前面を開放して押圧可能にして、開閉ボタンの操作を可能とする構成としている。【選択図】図６
0003164205.tif 000002
【実用新案登録請求の範囲】
【請求項１】
真空二重壁の容器本体（１ａ）の口元外側に筒状の肩部材（４）を螺着し、この筒状の肩部材（４）の内側に容器本体（１ａ）内と外部とを連通する注出口（５）を備えた注出筒体（６ａ）を嵌合し、
この注出口（５）を開閉可能とする蓋体（７ａ）を設け、肩部材（４）の前面に蓋体（７ａ）を開閉操作させる開閉ボタン（８ａ）を設け、開閉ボタン（８ａ）の操作をロック可能とするロックボタン（９ａ）を設け、
使用時、開閉ボタン（８ａ）のロックを解除して開閉ボタンを操作し、蓋体（７ａ）を注出口（５）より開放する携帯用飲料容器（１）に於いて、
上記肩部材（４）の前面には、左右対称な左側壁（４ａ）と右側壁（４ｂ）とを突出すると共に
開閉ボタン（８ａ）は、上部内側壁に蓋体（７ａ）を係合する係合爪（２４）を備え、下部前壁を指押圧部（２７）とし、肩部材（４）の左、右側壁（４ａ）、（４ｂ）間にあって、揺動自在に枢支され、
ロックボタン（９ａ）は、肩部材（４）の左、右側壁（４ａ）、（４ｂ）間を跨ぎ、この左、右側壁外面に揺動自在に枢支され、
不使用時には、ロックボタン（９ａ）が開閉ボタン（８ａ）の指押圧部（２７）のみを覆い、開閉ボタンの操作を不能とし、
使用時には、ロックボタン（９ａ）を押し上げて開閉ボタンの指押圧部（２７）前面を開放して押圧可能にして、開閉ボタンの操作を可能とすることを特徴とした携帯用飲料容器。
【考案の詳細な説明】
【技術分野】
【０００１】
本考案は、注出口を傾けて直飲み、又はコップ等に注いで飲む携帯用飲料容器に関するものである。
【背景技術】
【０００２】
一般に、携帯用飲料容器である飲料用容器、特にその栓体のロック構造は、蓋部材の回動端に設けられた係合片に係脱可能な係合部を上部に有すると共に、係合部を係止片との係合方向に付勢する付勢手段を有したロックボタンと、該ロックボタンの下部と口栓部材の外周壁との間に挿入されたときにロックボタンのロック解除方向への動きを規制する一方、下方へスライドされ非挿入位置に位置したときにロックボタンのロック解除方向への動きを許容するスライド式ストッパを有するものがあり、このスライド式ストッパがロックボタンの内側に位置するときにはロックされ、スライド式ストッパがロックボタンの内側から外れた時にロックが解除されるという構造のものが携帯用飲料容器として存在する。
【０００３】
しかしながら、このような構成によれば、スライド式ストッパを指先で一旦押し下げてからその指先若しくは他の指でロックボタンの下部を内側に押した時に蓋部材を開くことができる。
しかし、上記のように、スライド式ストッパを上下動させる操作とロックボタンを押圧する操作とを一連の動作として行うことができない。つまり蓋部材を開く時には２っの全く異なる動作をしなければならず、操作の簡単性に欠け、しかも飲み口に近く狭い個所でのスライド式ストッパ、ロックボタン等の各部材の構造が複雑で、各部材やスプリング等の取り付けが非常に煩雑であるという問題点があった。
【０００４】
そこで本出願人は、ワンタッチで開放できると共に確実に開閉することができ、しかも落下時等の場合でも破損の恐れを確実に防ぎ、各部品の構造も至って簡単で、取り付け作業も極めて容易である携帯用飲料容器を考案し、既に特願２００８−５２８２１号として出願している。
【考案の概要】
【考案が解決しようとする課題】
【０００５】
ところが、このような携帯用飲料容器では、持ち運び時でもロックボタンに指や物が触れると即座にロック解除される恐れが生じて、不必要な際にも簡単にロック解除されて不必要な注ぎ状態となり、知らぬ間に飲料容器本体の回りを濡らしてしまうという問題点があった。
【課題を解決するための手段】
【０００６】
本考案は、真空二重壁の容器本体１ａの口元外側に筒状の肩部材４を螺着し、この筒状の肩部材４の内側に容器本体１ａ内と外部とを連通する注出口５を備えた注出筒体６ａを嵌合し、
この注出口５を開閉可能とする蓋体７ａを設け、肩部材４の前面に蓋体７ａを開閉操作させる開閉ボタン８ａを設け、開閉ボタン８ａの操作をロック可能とするロックボタン９ａを設け、
使用時、開閉ボタン８ａのロックを解除して開閉ボタンを操作し、蓋体７ａを注出口５より開放する携帯用飲料容器１に於いて、
上記肩部材４の前面には、左右対称な左側壁４ａと右側壁４ｂとを突出すると共に
開閉ボタン８ａは、上部内側壁に蓋体７ａを係合する係合爪２４を備え、下部前壁を指押圧部２７とし、肩部材４の左、右側壁４ａ、４ｂ間にあって、揺動自在に枢支され、
ロックボタン９ａは、肩部材４の左、右側壁４ａ、４ｂ間を跨ぎ、この左、右側壁外面に揺動自在に枢支され、
不使用時には、ロックボタン９ａが開閉ボタン８ａの指押圧部２７のみを覆い、開閉ボタンの操作を不能とし、
使用時には、ロックボタン９ａを押し上げて開閉ボタンの指押圧部２７前面を開放して押圧可能にして、開閉ボタンの操作を可能とする構成としている。
【考案の効果】
【０００７】
本考案は、従来の問題点を解決したものであって、万一ロックボタンに指や物が接触して移動したとしても、開閉ボタンを操作しない限り注出口を開放できないと共に各部品の組み立て作業も極めて容易となる携帯用飲料容器を提供するにある。
【図面の簡単な説明】
【０００８】
【図１】本考案実施例の正面図。
【図２】本考案実施例の右側面
【図３】図１のＡ−Ａ線拡大断面図
【図４】図３の上部拡大図
【図５】本考案実施例の蓋部材を開放した状態の縦断面図
【図６】本考案実施例の蓋部材を開放した状態を示す一部分解斜視図
【考案を実施するための形態】
【０００９】
携帯用飲料容器１は、内、外筒２，３間を真空引きした容器本体１ａと、容器本体１ａの口元に装着した筒状の肩部材４と、肩部材４内にあって、容器本体１ａ内と外部とを連通する注出口５を備えた注出部材６と、肩部材に枢支して注出口５を開閉する蓋部材７と、蓋部材７の蓋体７ａを係合する開閉操作部材８と、開閉操作部材８の開閉ボタン８ａをロックするロック部材９とから構成されている。
【００１０】
容器本体１ａの内筒２には、図３及び図４に示すように、ステンレス等の金属材料にて有底筒状に形成されており、内筒胴部２ａと、この内筒胴部２ａの上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。 この内筒２の内筒垂直部の内側壁には、小さな環状突起が設けられている。この内筒２の厚みは、約０．３ｍｍである。
【００１１】
容器本体１ａの外筒３には、図３及び図４に示すように、内筒２と間隔を隔てて内筒胴部２ａを囲む外筒胴部３ａと、この外筒胴部３ａの上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。内筒胴部２ａの底を囲む外筒３の底部と外筒胴部３ａとは、図３に示すように、同一材料にて別部材として結合されているが、底部と外筒胴部３ａとを同一部材で一体化に形成しても何ら支障をきたすものではない。
【００１２】
容器本体１ａの外筒３の外筒胴部３ａは、横断面多角形による多辺形状に形成されている。この外筒胴部３ａを形成する辺の数は、外筒３の大きさが約６７ｍｍ以下の場合、２８個〜３６個特に３２個が最良である。この外筒３の厚みは、内筒２の厚みと同一であって、約０．３ｍｍである。
【００１３】
外筒胴部３ａには、その外表面が研磨された後に、透明度の高いアクリル樹脂塗料の層ｄが均一に塗布されている。
外筒３の外筒小径部の外側壁には、後述の肩部材４の雌ネジを螺着する雄ネジが刻設されている。
外筒３の口元接合部と内筒２の内筒垂直部の上端とは、重ね合わされて溶接され、容器本体１ａの口元とされており、この外筒３と内筒２との隙間は、真空とされている。
【００１４】
肩部材４は、筒状に形成されており、前面の間隔を開けた両側に前方に突出する左側壁４ａと右側壁４ｂとを配設し、後方上部に後述の蓋部材７を枢支する枢支部４ｃを設けている。
【００１５】
肩部材４の右側壁４ｂには、図６に示すように、後述の開閉ボタン８ａを枢支する軸ピン用の第１透孔１０を穿設し、右側壁４ｂの外表面には、この第１透孔１０よりも下方に後述のロックボタン９ａを枢支する中空の軸棒体１１と、この軸棒体１１の斜め後方で後述のロックボタン９ａの二つの上、下浅溝１２ａ、１２ｂ間を摺動させる小台座体１３と、軸棒体１１の斜め前方でロックボタン９ａの小突起体１４を摺動させる二つの上溝１５ａ、下溝１５ｂとが配設されている。
肩部材４の左側壁４ａには、右側壁４ｂと全く同様に右側壁４ｂと左右対称位置に、それぞれ第１透孔１０を穿設し、左側壁４ａの外表面には、この中空の軸棒体１１と、小台座体１３と、上溝１５ａ及び下溝１５ｂとが配設されている。
【００１６】
筒状の肩部材４の内側壁には、図３及び図５に示すように、外筒３に螺着する雌ネジが刻設されている。
この雌ネジが刻設された内側壁の上端には、図４及び図５に示すように、後述の注出部材６の注出筒体６ａが抜け出るのを防ぐために、内側に向けて延びた環状突起部１６が設けられている。
【００１７】
注出部材６は、図４及び図５に示すように、内筒２内の飲料を外部へ注出する注出口５を備えた内筒状の注出筒体６ａと、この注出筒体６ａの下部にあって、内筒２の内筒垂直部、内筒最小径部の間にて密に接触する環状のシールパッキン１７とからなっている。
【００１８】
この注出筒体６ａは、図４及び図５に示すように、携帯用飲料容器１を傾けて飲み易いように、前方が背高く、後方が背低く形成されており、前方のほぼ中央で後方の上方となる周側壁に肩部材４の環状突起部１６に下側より接触して保持される環状突出部１８を設けている。従って、この注出筒体６ａは、肩部材４を容器本体１ａに螺着する前に、肩部材４の下側より内部に押し込んで肩部材にセットしておかなければならない。
【００１９】
蓋部材７は、図３及び図６に示すように、後述の開閉ボタン８ａの係合爪に係止された状態で注出筒体６ａの上面全体を覆う蓋体７ａと、この蓋体７ａを肩部材４の枢支部４ｃに枢支させる蓋体用軸ピン１９と、この蓋体用軸ピン１９の両側よりそれぞれ巻き付け更に両端を肩部材４に巻き付け、この両端の反対側を後端内側に介在させた蓋体用バネ２０とからなっている。
【００２０】
蓋体７ａには、図４及び図６に示すように、蓋体７ａのほぼ中央内壁に、下方に向けて垂下した円筒体部２１を設けられ、この円筒体部２１の下部周りで注出筒体６ａの注出口５に被さるようにして密に閉鎖される弾性パッキン２２が配設されている。
【００２１】
この蓋体７ａには、図３及び図６に示すように、前方に後述の開閉ボタン８ａの係合爪２４に係合する係止爪２３を設けている。
この蓋体７ａでは、注出口５を閉鎖する場合、後述の開閉ボタン８ａやロックボタン９ａの操作に関係なく、蓋体の前方上部を前方向に押し下げれば、係止爪２３が開閉ボタン８ａの係合爪２４に係合保持されることとなる。
【００２２】
開閉操作部材８は、蓋体７ａを開閉する開閉ボタン８ａと、この開閉ボタンを枢支する軸ピン２５と、開閉ボタンを元の位置に復帰させる開閉復帰バネ２６とからなっている。
この開閉ボタン８ａは、肩部材４の左、右側壁４ａ、４ｂ間に納められて、この間を自由に摺動できて、ほぼ縦板状に形成されている。
【００２３】
この開閉ボタン８ａは、縦板状のほぼ中央後壁に肩部材４の左、右側壁４ａ、４ｂに設けた第１透孔１０、１０を貫通する軸ピン２５を介して前後揺動自在に装着されている。
この縦板状の開閉ボタン８ａは、枢支される軸ピン２５位置よりも上部の内壁に蓋体７ａの係止爪２３を係合する係合爪２４を設け、軸ピン２５位置よりも下部の前面壁を指押圧部２７としている。この開閉ボタンの指押圧部２７後方には、開閉ボタンを元の位置に復帰させる開閉復帰バネ２６が張設されている。
【００２４】
ロック部材９は、開閉ボタンの指押圧部２７前面を覆うロックボタン９ａと、このロックボタンを枢支するロックボタン用軸ピン２８とからなっている。
このロックボタン９ａには、図６に示すように、肩部材４の左、右側壁４ａ、４ｂの外側一部を覆うような左側壁部２９ａ、右側壁部２９ｂと、開閉ボタンの指押圧部２７前面を覆うような前面壁部２９ｃとが一体的に形成されてほぼマスク形状となっている。
【００２５】
このロックボタン９ａの左側壁部２９ａの内面壁には、肩部材４の軸棒体１１を貫通させる第２透孔３１と、この第２透孔の後方に肩部材４の小台座体１３を摺動させる上浅溝１２ａと下浅溝１２ｂとが配設され、前方に肩部材４の上溝１５ａ及び下溝１５ｂ間を摺動する小突起体１４が設けられている。
このロックボタン９ａの右側壁部２９ｂの内面壁には、左側壁部２９ａと全く同様に、左側壁部と左右対称位置に、それぞれ第２透孔３１、上浅溝１２ａ、下浅溝１２ｂ及び小突起体１４が設けられている。
【００２６】
ロックボタン用軸ピン２８は、肩部材４の左右の軸棒体１１、１１にロックボタン９ａの左右の第２透孔３１、３１をそれぞれ挿通させた後、ロックボタン９ａの左、右側壁部２９ａ、２９ｂのどちらか一方より左右の軸棒体１１、１１内に通すことにより、ロックボタン９ａを肩部材４の左、右側壁４ａ、４ｂ外側に枢支している。
【００２７】
従って、ロックボタン９ａが開閉ボタン８ａの指押圧部２７前面にあって、開閉ボタン８ａの操作を不能としている場合には、ロックボタン９ａの小突起体１４が肩部材４の下溝１５ｂ内に存在し、肩部材の小台座体１３がロックボタンの下浅溝１２ｂ内に存在して、ロックボタン９ａが肩部材の左、右側壁４ａ、４ｂに保持されている。
【００２８】
次に、ロックボタン９ａ前面壁部２９ｃを押し上げて開閉ボタンの指押圧部２７前面を開放した状態では、ロックボタン９ａの小突起体１４が肩部材４の上溝１５ａ内に移動し、肩部材の小台座体１３がロックボタンの上浅溝１２ａ内に移動して、ロックボタンが開閉ボタンの指押圧部２７より押し上がった状態に維持されている。
【００２９】
このようにして、ロックボタン９ａが開閉ボタン８ａの指押圧部２７前面より押し上げられなければ、開閉ボタン８ａを操作することができないために、蓋体７ａを開放することは全くできない。従って、持ち運び時、又は落下時に於いてもロックボタンの操作は不能で、万一ロックボタンが押し上げられたとしても、指押圧部前面を押さない限り蓋体を開放できないために、蓋体の開閉を極めて確実に行うことができる。
【００３０】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００３１】
１…携帯用飲料容器
１ａ…容器本体
２…内筒
２ａ…内筒胴部
３…外筒
３ａ…外筒胴部
４…肩部材
４ａ…左側壁
４ｂ…右側壁
４ｃ…枢支部
５…注出口
６…注出部材
６ａ…注出筒体
７…蓋部材
７ａ…蓋体
８…開閉操作部材
８ａ…開閉ボタン
９…ロック部材
９ａ…ロックボタン
１０，１０…第１透孔
１１，１１…軸棒体
２３…係止爪
２４…係合爪
２７…指押圧部
【図１】
0003164205.tif 000003
【図２】
0003164205.tif 000004
【図３】
0003164205.tif 000005
【図４】
0003164205.tif 000006
【図５】
0003164205.tif 000007
【図６】
0003164205.tif 000008